(57)【要約】【課題】優れたデザイン性及び操作性を有しながら、停止爪体による自動停止機構を備えるスライドファスナー用の薄型スライダーを提供する。【解決手段】薄型スライダーは、スライダー胴体に軸支される停止爪体と、連結柱に収容される弾性部材と、を備える。停止爪体は、爪部をエレメント案内路へ挿入するための第１回動方向に弾性部材によって付勢されている。上翼板は、連結柱に連結された第１上翼板と、第１上翼板に摺動可能に係着された第２上翼板とを有する。第２上翼板は、薄板状の第２上翼板本体と、第２上翼板本体の前端部から垂設された作動片とを有する。第２上翼板が後方へ摺動する時にエレメント案内路から爪部を抜出するための第２回動方向に第１突片部を押圧するための第１作動部が作動片の内面に配され、第２上翼板が前方に摺動する時に第２回動方向に第２突片部を押圧するための第２作動部が、第２上翼板本体の摺動面側に配される。【選択図】図２
2010158520.tif 000002
【特許請求の範囲】
【請求項１】
スライドファスナー用の薄型スライダー（１，１’）であって、
上下翼板（２０，２３）の前端部が連結柱（２４）により連結され、前記上下翼板の間にＹ字状のエレメント案内路（２７）が設けられ、前記上翼板（２０）の左右側面部の各々に引手取付部（２２ｂ）が配されるスライダー胴体（２）と、
前記左右の引手取付部に枢着されるアーム部（４２）と、前記アーム部と一体に形成された引手本体部（４１）とを有する引手（４）と、
前記スライダー胴体に軸支される停止爪体（５）と、
前記連結柱に収容される弾性部材（６）と、を備え、
前記停止爪体は、回動軸として機能する軸支部（５１）から後方に延設されて、前記エレメント案内路への挿入及び前記エレメント案内路からの抜出が可能な爪部（５５）が後端部に突設された爪杆部（５２，５２’）と、前記軸支部の下に配された第１突片部（５３）と、前記軸支部の上に配された第２突片部（５４）とを有し、前記爪部を前記エレメント案内路へ挿入するための第１回動方向に前記第１突片部が前記弾性部材によって付勢され、
前記上翼板は、前記連結柱に連結され、上面において前後方向に配されたガイド部（２８）を有する第１上翼板（２１）と、前記ガイド部に沿って前記第１上翼板に摺動可能に係着された第２上翼板（２２）とを有し、
前記第２上翼板は、前記第１上翼板の上面に配された薄板状の第２上翼板本体（２２ａ）と、前記連結柱に沿って前記第２上翼板本体の前端部から垂設された作動片（２２ｃ）とを有し、前記第２上翼板が後方へ摺動する時に前記エレメント案内路から前記爪部を抜出するための第２回動方向に前記第１突片部を押圧するための第１作動部（２２ｄ）が、前記作動片の内面に配され、前記第２上翼板が前方へ摺動する時に前記第２回動方向に前記第２突片部を押圧するための第２作動部（２２ｅ）が、前記第２上翼板本体の前記摺動面側に配されることを特徴とする薄型スライダー。
【請求項２】
前記弾性部材（６）が、前記下翼板（２３）の内面よりも前記上翼板（２０）側に配されることを特徴とする請求項１に記載の薄型スライダー。
【請求項３】
前記スライダー胴体（２）は、前記停止爪体（５）を収容するように前記第１上翼板（２１）の上面に凹設された爪体収容溝（２９）と、前記爪部（５５）を通過させるように前記爪体収容溝の後端部に穿設された爪孔（３０）とを有し、
前記爪体収容溝の底面部（３１，３１’）が、前記爪孔に向かって下り傾斜する下り傾斜面（３１ｃ，３１ｂ’）を有することを特徴とする請求項１に記載の薄型スライダー。
【請求項４】
前記底面部（３１，３１’）の一部の上下方向における高さ位置が、前記停止爪体（５）の回動軸中心と同じ高さ位置又は前記回動軸中心より上の高さ位置にあることを特徴とする請求項３に記載の薄型スライダー。
【請求項５】
前記停止爪体（５）が、前記爪体収容溝（２９）の前記下り傾斜面（３１ｃ，３１ｂ’）に対応する下り傾斜部（５６，５６’）を有することを特徴とする請求項３に記載の薄型スライダー。
【請求項６】
前記爪体収容溝（２９）の前記底面部（３１，３１’）が、前記連結柱（２４）よりも後口側に向かって延設されることを特徴とする請求項３に記載の薄型スライダー。
【請求項７】
前記スライダー胴体（２）の下面が、平面状に形成されることを特徴とする請求項１に記載の薄型スライダー。
【請求項８】
前記第２上翼板（２２）が、前記作動片（２２ｃ）の下端部から後方に延設された保持用舌片（２２ｆ）を有し、
前記保持用舌片が摺動可能に係着された係着溝（３４）が、前記下翼板（２３）の下面に凹設されることを特徴とする請求項１に記載の薄型スライダー。
【請求項９】
前記ガイド部（２８）は、前記第１上翼板（２１）の上面から立設された基部（２８ａ）と、前記基部の上端部から左右方向に外方へ延設された係止片部（２８ｂ）とを有し、
前記第２上翼板（２２）の下面は、前後方向にＴ字状断面を有するガイド溝（２２ｇ）を有し、前記ガイド溝が前記ガイド部の係着を可能にすることを特徴とする請求項１に記載の薄型スライダー。
【請求項１０】
前記ガイド溝（２２ｇ）に平行な凹溝部（２２ｈ）が、前記ガイド溝の溝底面部に凹設されることを特徴とする請求項９に記載の薄型スライダー。
【請求項１１】
上下翼板（２０，２３）の前端部が連結柱（２４）により連結され、前記上下翼板（２０，２３）間にＹ字状のエレメント案内路（２７）を備え、前記エレメント案内路（２７）に挿入、抜出可能な爪部（５５）を設け、前記上翼板（２０）の左右側面部に引手取付部（２２ｂ）が配されたスライダー胴体（２）と、
左右の前記引手取付部（２２ｂ）に枢着されるアーム部（４２）及び前記アーム部（４２）と一体成形された引手本体部（４１）を備えた引手（４）と、を有するスライドファスナー用の薄型スライダー（１，１’）であって、
前記上翼板（２０）は、前記連結柱（２４）に連結され、その上面側に前後方向に配されたガイド部（２８）を有する第１上翼板（２１）と、前記第１上翼板（２１）上に前記ガイド部（２８）に沿って摺動可能に係着した第２上翼板（２２）と、を備え、
前記第１上翼版（２１）に対して前記第２上翼板（２２）が摺動することにより、前記爪部（５５）が前記エレメント案内路（２７）に挿入、抜出することを特徴とする薄型スライダー。
【請求項１２】
前記第１上翼板（２１）と前記第２上翼板（２２）との間に摺接しあう対向面が形成されることを特徴とする請求項１１に記載の薄型スライダー。
【発明の詳細な説明】
【技術分野】
【０００１】
本発明は、スライドファスナーに使用するための優れたデザイン性を有する薄型スライダーに関し、より詳しくは、停止爪体による自動停止機構を有する薄型スライダーに関する。
【背景技術】
【０００２】
従来、衣服又は鞄の開口部を開閉するため、スライドファスナーが開口部に取り付けられている。このようなスライドファスナーに使用するためのスライダーの一つとしては、例えば、特許文献１に記載されているような優れたデザイン性を有する薄型スライダーが知られている。
【０００３】
図１０に見られるように、特許文献１に記載された薄型スライダー７１は、上翼板７２の左右側面部に凸状の引手取付部７５が配されたスライダー胴体７６と、左右の引手取付部７５に枢着された引手７７とによる簡単な構成を持ち、上下翼板７２，７３の前端部が連結柱に連結されている。引手取付部７５を介して上翼板７２の左右側面部に引手７７を枢着することにより、上下方向におけるスライダーの厚さの減少が達成される。
【０００４】
一方、従来のスライドファスナー用スライダーとして、例えば特許文献２に開示されているような自動停止機構を有するタイプのスライダーが一般的に知られている。
【０００５】
特許文献２に記載されているスライダー１００は、図１１及び図１２に示されているように、スライダー本体１０１と、Ｕ字状ブラケット１０２と、スライダー本体１０１に支持された停止爪体１１４と、ブラケット１０２に沿って摺動可能に係着された引手１２７と、を有する。
【０００６】
特許文献２のスライダー本体１０１では、上下翼板１０３，１０４の前端部が連結柱１０５に連結され、停止爪体１１４を付勢するためのスプリング１２５を収容する孔部１２４が、連結柱１０５の下端部に形成されている。スライダー本体１０１の左右方向の中央部には、上翼板１０３から上方に突出するリブ１１０と、上下翼板１０３，１０４の前方に延出するフォーク状部材１１１とが、一体に形成されている。リブ１１０の後口端部には、Ｕ字状ブラケット１０２を係止するためのＴ字状部材１０６，１０７が立設されている。
【０００７】
Ｕ字状ブラケット１０２は、Ｕ字状に形成された壁部１３０と、引手の基端部１２８を摺動可能に保持するため壁部１３０の内側に配された保持溝部と、を有する。壁部１３０は、上脚部と、下脚部と、上下脚部を連結するための湾曲部と、を有する。上下脚部の各前端部は、Ｔ字状部材１０６，１０７の各々が係着されたＴ字状溝部を有する。ブラケット１０２の上脚部は孔部１２１を有し、下脚部に隣接する湾曲部には突起部１２２が設けられている。
【０００８】
停止爪体１１４は、スライダー本体１０１に軸支された軸支部１１８から後方に延出する爪杆部１１５と、軸支部１１８の下に配された第１杆部１２６と、軸支部１１８の上に配されてＵ字状ブラケット１０２の孔部１２１を通過する第２杆部１２３と、を有することで、略Ｔ字状の側面状態を呈する。スライダー本体１０１のエレメント案内路１１６への挿入・これからの抜出が可能な爪部１１７が、停止爪体１１４の爪杆部１１５の後端部から突設されている。スライダー本体１０１の連結柱１０５に収容されたスプリング１２５により、停止爪体１１４の爪部１１７がエレメント案内路１１６へ挿入される方向に停止爪体１１４の第１杆部１２６が付勢されている。
【０００９】
このような構成を有する特許文献２のスライダー１００がスライドファスナーに採用された場合、摺動されずにスライダーがエレメント列に対して停止している時には、図１２に示されているように、停止爪体１１４がスプリング１２５によって付勢されるため、停止爪体１１４の爪部１１７がエレメント案内路１１６へ挿入される。結果的に、スライダー１００の停止位置を安定的に保持するように、エレメント案内路１１６を通過したエレメント列に停止爪体１１４の爪部１１７が係合される。
【００１０】
例えば、エレメント列を分離させる方向にスライダーが摺動する場合、スライダー１００の後方に引手１２７が引っ張られる。結果的に、引手１２７の基端部１２８がＵ字状ブラケット１０２の保持溝に沿って後方に移動し、Ｕ字状ブラケット１０２の当接部１２９と当接する。さらに、当接部１２９との当接を維持した状態で引手１２７が後方に引っ張られると、引手１２７の基端部１２８によってＵ字状ブラケット１０２が引っ張られるため、Ｕ字状ブラケット１０２がスライダー本体１０１の後方に移動する。
【００１１】
Ｕ字状ブラケット１０２が後方に移動すると、スプリング１２５の付勢力に抗して停止爪体１１４を回動させるように、Ｕ字状ブラケット１０２の突起部１２２が停止爪体１１４の第１杆部１２６を押圧する。その結果、停止爪体１１４の爪部１１７がエレメント案内路から抜出される。次に、爪部１１７とエレメント列との間の係合が解除されて、エレメント列に沿ってスライダー１００を円滑に摺動させることができる。
【００１２】
エレメント列の所定位置へスライダー１００が摺動した後で引手の動作が停止すると、スプリング１２５が停止爪体１１４を付勢する力によってＵ字状ブラケット１０２が元の位置へ移動するため、停止爪体１１４の爪部１１７がエレメント案内路１１６に挿入される。結果的に、スライダー１００を停止位置に保持することができる。
【００１３】
一方、例えば、エレメント列を噛合するための方向にスライダー１００が摺動すると、引手１２７がスライダー１００の前方へ引っ張られ、結果的に、引手１２７の基端部１２８がＵ字状ブラケット１０２の保持溝に沿って前方に移動するため、湾曲部の中心で壁部１３０と当接する。さらに、壁部１３０との当接を維持したままで引手１２７が前方へ引っ張られると、引手１２７の基端部１２８によってＵ字状ブラケット１０２が引っ張られるため、スライダー本体１０１の前方へＵ字状ブラケット１０２が移動する。
【００１４】
結果的に、Ｕ字状ブラケット１０２の孔部１２１に配された側壁面１３１が停止爪体１１４の第２杆部１２３を押圧するため、スプリング１２５の付勢力に抗して停止爪体１１４を回動させ、結果的に、停止爪体１１４の爪部１１７がエレメント案内路１１６から抜出される。そのため、エレメント列に沿ってスライダー１００が円滑に摺動できる。
【００１５】
特許文献２のスライダーによれば、スライダー１００の引手１２７が操作されていない時には、停止爪体１１４によってスライダー１００の固定状態が安定的に維持される。さらに、スライダー１００を摺動させるように引手１２７が操作される場合には、引手１２７を操作することにより、停止爪体１１４の爪部１１７がエレメント案内路１１６から抜出されて、スライダー１００を円滑に摺動させる。
【００１６】
特許文献１に記載されたような従来の薄型スライダー７１（図１０参照）は、そのデザイン性が機能性よりも重視されるため、自動停止機構を有していない自由スライダーとして構成されている。しかし近年では、スライドファスナーを備える衣服、鞄などが多機能となり、スライドファスナーの用途が拡大されているので、様々な機能を備えることがスライドファスナーに要求されるようになっている。例えば、上述した薄型スライダーは自動停止機構を備えることが求められている。
【００１７】
このような要求を満たすため、特許文献１に記載された薄型スライダーに対して特許文献２に記載された自動停止機構を採用することを検討できる。この場合、特許文献２に記載された停止爪体１１４又はスプリング１２５を備え、同時に、引手が操作される時に停止爪体１１４の第１及び第２杆部１２６，１２３を押圧するためのＵ字状ブラケット１０２を備える、薄型スライダーのスライダー胴体を設ける必要がある。
【００１８】
しかし、特許文献２に記載された停止爪体１１４又はＵ字状ブラケット１０２を薄型スライダーが備える場合には、上下方向における薄型スライダーの厚さが増加するばかりでなくデザイン性が損なわれることで、薄型スライダーの利点が失われるというような問題が生じる。
【００１９】
特許文献２の自動停止機構を有するスライダー１００では、Ｕ字状ブラケット１０２の当接部１２９又は湾曲部の中心の壁部１３０に基端部１２８を当接させるように引手１２７を操作することによりＵ字状ブラケット１０２の保持溝に沿って引手１２７の基端部１２８が移動するまでは、スライダー１００はエレメント列に沿って摺動できなかった。そのため、特許文献１の薄型スライダーと比較すると、スライダーの摺動動作が引手の操作に対して遅れるという欠点を特許文献２のスライダー１００は有するため、スライダー１００の操作性の点において改善の余地が残っている。
【先行技術文献】
【特許文献】
【００２０】
【特許文献１】意匠登録第５６６８４４号公報
【特許文献２】米国特許第２８３９８０６号明細書
【発明の概要】
【発明が解決しようとする課題】
【００２１】
本発明は、上述した問題を考慮して達成されたものであり、本発明の目的は、優れたデザイン性及び操作性を有しながら、停止爪体による自動停止機構を備えるスライドファスナー用の薄型スライダーを提供することにある。
【課題を解決するための手段】
【００２２】
上述した目的を達成するため、本発明は、上下翼板の前端部が連結柱により連結され、上下翼板の間にＹ字状のエレメント案内路が設けられ、上翼板の左右側面部の各々に引手取付部が配されるスライダー胴体と、左右の引手取付部に枢着されるアーム部と、アーム部と一体に形成された引手本体部とを有する引手と、備えるスライドファスナー用の薄型スライダーを提供し、薄型スライダーは、さらに、スライダー胴体により軸支される停止爪体と、連結柱に収容される弾性部材と、を備え、停止爪体が、回動軸として機能する軸支部から後方に延設されて、エレメント案内部への挿入及びエレメント案内部からの抜出が可能な爪部が後端部に突設された爪杆部と、軸支部の下に配された第１突片部と、軸支部の上に配された第２突片部とを有し、爪部をエレメント案内路へ挿入するための第１回動方向に第１突片部が弾性部材によって付勢され、上翼板が、連結柱に連結され、上面において前後方向に配されたガイド部を有する第１上翼板と、ガイド部に沿って第１上翼板に摺動可能に係着された第２上翼板とを有し、第２上翼板が、第１上翼板の上面に配された薄板状の第２上翼板本体と、連結柱に沿って第２上翼板の前端部から垂設された作動片とを有し、第２上翼板が後方に摺動する時にエレメント案内路から爪部を抜出するための第２回動方向に第１突片部を押圧する第１作動部が、作動片の内面に配され、第２上翼板が前方へ摺動する時に第２回動方向に第２突片部を押圧するための第２作動部が、第２上翼板本体の摺動面側に配される。
【００２３】
本発明による薄型スライダーにおいて、弾性部材が下翼板の内面よりも上翼板側に配されることが好ましい。
【００２４】
スライダー胴体は、停止爪体を収容するように第１上翼板の上面に凹設された爪体収容溝と、爪部が通過できるように爪体収容溝の後端部に穿設された爪孔とを有し、爪体収容溝の底面部が、爪孔に向かって下り傾斜する下り傾斜面を有することが好ましい。
【００２５】
この場合、底面部の一部の上下方向における高さ位置が、停止爪部の回動軸中心と同じ高さ位置又は回動軸中心より上の高さ位置にあることが好ましい。停止爪部が爪体収容溝の下り傾斜面に対応する下り傾斜部を有することが好ましい。さらに、爪体収容溝の底面部が、連結柱よりも後口側に向かって延設されることが好ましい。
【００２６】
本発明の薄型スライダーでは、スライダー胴体の下面が平面状に形成されることが好ましい。さらに、第２上翼板が、作動片の下端部から後方に延設された保持用舌片を有し、保持用舌片が摺動可能に係着された係着溝が下翼板の下面に凹設されることが好ましい。
【００２７】
さらに、本発明の薄型スライダーにおいて、好ましくは、ガイド部が、第１上翼板の上面から立設された基部と、基部から左右方向に外方へ延設された係止片部とを有し、第２上翼板の下面は、前後方向にガイド部を係着させるＴ字状断面を有するガイド溝を有する。この場合、ガイド溝に平行な凹溝部が、ガイド溝の溝底面部に凹設されることが好ましい。
【００２８】
本発明による薄型スライダーは、上翼板の左右側面部に引手取付部が取り付けられるスライダー胴体と、引手取付部に枢着される引手と、スライダー胴体に軸支される停止爪体と、連結柱に収容される弾性部材と、を備える。停止爪体は、軸支部から後方に延設されて、爪部が後端部から突出する爪杆部と、軸支部の下に配された第１突片部と、軸支部の上に配された第２突片部とを有し、第１突片部が、弾性部材により第１回動方向に付勢されている。
【００２９】
結果的に、本発明の薄型スライダーを用いてスライダーファスナーが構成される場合、スライダーの引手が操作されない時には、停止爪体が弾性部材によって付勢されるため、エレメント列の停止位置にスライダーを保持するように、スライダー胴体のエレメント案内路へ停止爪体の爪部が挿入される。
【００３０】
さらに、薄型スライダーの上翼板は、ガイド部を有する上面側の第１上翼板と、ガイド部に沿って摺動可能に係着される第２上翼板とを有する。第２上翼板は、薄板状の第２上翼板本体と、第２上翼板本体の前端部から垂設される作動片とを有する。作動片の内面は、第２上翼板が後方へ摺動する時に第２回動方向に第１突片部を押圧するための第１作動部を有する。さらに、第２上翼板が前方へ摺動する時に第２突片部を押圧するための第２作動部が、第２上翼板本体の摺動面側に配される。
【００３１】
結果的に、引手を操作することでエレメント列を分離又は噛合するための方向に薄型スライダーが摺動すると、第２上翼板が引手に引っ張られるため、第１上翼板が前方又は後方に摺動する。この時、エレメント案内路から爪部を抜出するように、第２上翼板に配された第１作動部及び第２作動部が、停止爪体の第１突片部又は第２突片部を第２回動方向に押圧する。その結果、薄型スライダーはエレメント列に沿って円滑に摺動する。
【００３２】
すなわち、第１上翼板に摺動可能に係着された第２上翼板に第１及び第２作動部が設けられているため、本発明による薄型スライダーは、例えば、上記した特許文献２で言及されているようなＵ字状ブラケット１０２が設けられず、停止爪体による自動停止機構を備える。さらに、本発明では、第２上翼板に引手が枢着されているため、引手を操作することによって直接、第２上翼板が摺動できる。結果的に、これにより引手の操作に対してスライダーの摺動動作が遅れることを防止し、スライダーの操作性を低下させない。このようにして、本発明による薄型スライダーは、自動停止機構を有して、上記した特許文献２に記載されているように上下方向の厚さを増すことはなく、優れた機能性、摺動性能、デザイン性を確保することが可能である。
【００３３】
本発明の薄型スライダーでは、弾性部材が下翼板の内面よりも上翼板側に配されている。例えば、上記した特許文献２のスライダー１００では、連結柱１０５の下翼板１０４の内面より下の位置にスプリング１２５が収容されている。ゆえに、Ｕ字状ブラケット１０２が設けられない場合には、下翼板及び連結柱の強度を確保するのが困難である。
【００３４】
これと対照的に、本発明の薄型スライダーでは、下翼板の内面よりも上翼板側に弾性部材が配されている。結果的に、Ｕ字状ブラケットを設けなくても下翼板及び連結柱の強度が容易に確保され、弾性部材が安定的に収容される。ゆえに、この薄型スライダーにより、自動停止機構を長期間、安定的に機能させることが可能である。
【００３５】
本発明の薄型スライダーにおいて、スライダー胴体は、停止爪体を収容するように第１上翼板の上面に凹設された爪体収容溝と、爪部を通過させるように爪体収容溝の後端部に穿設された爪孔とを有し、爪体収容溝の底面部が、上翼板の前端側から爪孔に向かって下り傾斜する下り傾斜面を有する。
【００３６】
結果的に、爪体収容溝において上下方向に停止爪体の爪杆部を揺動させるための空間が容易に確保されるため、引手が操作されていない時には、停止爪体の爪部がエレメント案内路へ確実に挿入される。さらに、第２上翼板を摺動させるように引手が操作された時には、停止爪体の爪部がエレメント案内路から円滑に抜出される。
【００３７】
この場合、爪体収容溝の底面部の上下方向における高さ位置は、停止爪体の回動軸中心と同じ高さ位置又は回動軸中心より上の高さ位置にある。結果的に、上述したように下翼板の内面よりも上翼板側に配されたとしても、第１上翼板及び連結柱の強度が容易に確保されることで、自動停止機構を長期間安定的に機能させる。
【００３８】
停止爪体は、爪体収容溝の下り傾斜面に対応する下り傾斜部を有する。結果的に、停止爪体は、底面部に下り傾斜面を有する爪体収容溝内で円滑かつ効果的に回動することができ、こうして自動停止機構を確実に機能させる。
【００３９】
さらに、爪体収容溝の底面部は、連結柱よりも後口に向かって延設されている。結果的に、停止爪体の爪部がエレメント案内路へ挿入されると、爪部にできるだけ近い位置で、爪体収容溝の底面部に停止爪体が支持される。結果的に、引手が操作されていない時の停止爪体の姿勢が安定し、さらに、爪部がエレメント案内路に挿入される位置が安定する。
【００４０】
そのため、本発明のスライダーを用いてスライドファスナーが構成される時には、引手が操作されないと、エレメント列の停止位置にスライダーを確実に保持するように、エレメント案内路の爪部がエレメント列に安定的に係合される。さらに、停止爪体の姿勢が安定するため、スライダーを摺動させるように引手が操作されると、第２上翼板の第１作動部又は第２作動部が第１突片部又は第２突片部を確実に押圧するため、爪部がエレメント案内路から円滑に抜出される。
【００４１】
本発明によれば、スライダー胴体の下面は平面状に形成される。例えば、上記した特許文献２のスライダー１００のように下翼板１０４の下面側へ突出するようにＵ字状ブラケット１０２が配されているケースにおいて、スライダー１００を用いてスライドファスナーが構成される場合には、スライダー１００が摺動した時にスライダーが別の部材と衝突するか、これに引っ掛かることで、スライダー１００の操作性が低下する。
【００４２】
これと対照的に、本発明のスライダーを用いてスライドファスナーが構成される場合には、本発明のようにスライダー胴体の下面が平面状に形成されるため、スライダーの下面が別の部材と衝突するかこれに引っ掛かることが防止されることで、スライダーを円滑に摺動させる。さらに、スライダー胴体の底面が平面状に形成される場合には、スライダーの外観及び触感が向上する。
【００４３】
さらに本発明では、第２上翼板が、作動片の下端部から後方に延設された保持用舌片を有し、保持用舌片を摺動可能に係着させるための係着溝が、下翼板の下面に凹設されている。結果的に、本発明のスライダーをより頑丈な造りとするように、第２上翼板が第１上翼板に係着する強度を向上させることができる。
【００４４】
さらに、ガイド部は、第１上翼板の上面から立設された基部と、基部の上端部から左右方向に外方へ延設された係止片部とを有する。第２上翼板の下面は、ガイド部を係着させるためのＴ字状断面を前後方向に沿って有するガイド溝を有する。したがって、第２上翼板は第１上翼板に確実に摺動可能に係着される。
【００４５】
この場合、ガイド溝と平行な凹溝部が、ガイド溝の溝底面部に凹設される。結果的に、停止爪体の回動空間がより効果的に確保されることで、自動停止機構を確実に機能させる。さらに、凹溝部がガイド溝の溝底面部に設けられるため、薄型スライダーの組立作業が容易に実行される。
【発明の効果】
【００４６】
本発明の薄型スライダーによれば、優れたデザイン性及び操作性を有しながら、停止爪体による自動停止機構を備えるスライドファスナー用の薄型スライダーを提供することができる。
【図面の簡単な説明】
【００４７】
【図１】第１実施形態の薄型スライダーを用いることにより構成されるスライドファスナーの正面図である。
【図２】薄型スライダーを構成する部品が分解された状態を示す斜視図である。
【図３】薄型スライダーに使用するための第２上翼板を摺動面側から見た斜視図である。
【図４】第２上翼板の縦断面図である。
【図５】薄型スライダーの引手が操作されていない状態を示す縦断面図である。
【図６】図５のVI−VI線における断面図である。
【図７】エレメント列を分離する方向に薄型スライダーが摺動する状態を示す縦断面図である。
【図８】エレメント列を噛合する方向に薄型スライダーが摺動する状態を示す縦断面図である。
【図９】第２実施形態の薄型スライダーの引手が操作されていない状態を示す縦断面図である。
【図１０】従来の薄型スライダーを示す斜視図である。
【図１１】従来の自動停止機構を有するスライダーを示す斜視図である。
【図１２】図１１に示されたスライダーの縦断面図である。
【発明を実施するための形態】
【００４８】
以下、添付図面を参照して、本発明の実施形態を例とともに詳細に説明する。
【００４９】
［第１実施形態］
図１は、第１実施形態の薄型スライダーを用いることにより構成されるスライドファスナーの正面図、図２は、薄型スライダーを構成する部品が分解された状態を示す斜視図、図３は、薄型スライダーに使用するための第２上翼板を摺動面側から見た斜視図、図４は、第２上翼板の縦断面図、図５は、薄型スライダーの引手が操作されていない状態を示す縦断面図、図６は、図５のVI−VI線における断面図である。
【００５０】
本発明の薄型スライダーでは、エレメント列を噛合させるためスライダーが摺動する方向を前方とし、エレメント列を分離させるためにスライダーが摺動する方向を後方とする。上下翼板に直交する方向は上下方向と定義され、上下翼板に平行でスライダー摺動方向に直交する方向は左右方向と定義される。
【００５１】
第１実施形態の薄型スライダー１は、図１に見られるコイル状のエレメント列９を有するスライドファスナー１０に使用される。エレメント列９に沿って薄型スライダー１を摺動させることにより、左右のエレメント列９が噛合及び分離される。ところで、本発明による薄型スライダー１は、図１に示されたようなコイル状エレメント列９を有するスライドファスナー１０での使用に限定されず、例えば、ジグザグ状のエレメント列を有するスライドファスナー、又は複数の個別ファスナーエレメントが射出成形によりファスナーテープに列設されたタイプのスライドファスナーにも適用される。
【００５２】
図２及び５に示されているように、この第１実施形態の薄型スライダー１は、スライダー胴体２と、スライダー胴体２に枢着された引手４と、ピン７を介してスライダー胴体２に支持された停止爪体５と、停止爪体５を付勢するためスライダー胴体２に収容される弾性部材６と、を備える。この場合、スライダー胴体２と引手４とは、アルミニウム合金及び亜鉛合金などの金属材料を用いたダイキャスト成形により製作される。停止爪体５は、ステンレス及び銅合金などの金属材料を用いたプレス成形又はダイキャスト成形により製作される。
【００５３】
第１実施形態のスライダー胴体２は、上翼板２０と、下翼板２３と、上下翼板２０，２３の前端部を連結するための連結柱２４とを有する。上フランジ部２５は、上翼板２０と直交する方向に垂設されるように上翼板２０の左右側部の各々に設けられ、下フランジ部２６は、下翼板２３と直交する方向に立設されるように下翼板２３の左右側部の各々に設けられている。さらに、スライダー胴体２は、連結柱２４の左右側に配された肩口と、後端部に配された後口とを有する。左右の肩口を後口に連結するＹ字状のエレメント案内路２７が、上下翼板２０，２３の間に形成されている。
【００５４】
スライダー胴体２の上翼板２０は、連結柱２４に連結された第１上翼板２１と、第１上翼板２１に摺動可能に係着された第２上翼板２２とを有する。第１実施形態によれば、第１上翼板２１は薄板状に形成され、前後方向におけるその長さは第２上翼板２２よりも短く設定される。第１上翼板２１の上面から立設された基部２８ａと、基部２８ａの上端部から左右方向に外方へ延設された係止片部２８ｂとを有するガイド部２８が、第１上翼板２１の上面に前後方向に配されている。
【００５５】
さらに、停止爪体５を収容及び保持する爪体収容溝２９が、第１上翼板２１及び連結柱２４においてガイド部２８の上面から凹設されており、後述する停止爪体５の爪部５５が通過できる爪孔３０が、爪体収容溝２９の後端部に穿設されている。図５に示されているように、爪体収容溝２９は、前後方向に形成された第１収容溝２９ａと、上下方向に沿って第１上翼板２１の前端部に形成された第２収容溝２９ｂとを有する。
【００５６】
第１実施形態によれば、第１収容溝２９ａの底面部３１は、第２収容溝２９ｂから爪孔３０まで連続的に湾曲するように設けられている。底面部３１は、連結柱２４の後端部よりも後口側の位置まで延設されている。この場合、底面部３１は、第２収容溝２９ｂ側から後口側に向かって上り傾斜する上り傾斜面で形成される第１底面部３１ａと、停止爪体５の回動軸中心（後述する軸支部５１の中心）と同じ高さ位置又は回動軸中心より上に配された第２底面部３１ｂと、第２底面部３１ｂの後端部から後口に向かって下り傾斜する下り傾斜面で形成される第３底面部３１ｃと、連結柱２４よりも後口側に停止爪体５を支持するための第４底面部３１ｄとを有する。
【００５７】
第２上翼板２２は、第１上翼板２１の上面に配されて第１上翼板２１と同じかそれ以上の大きさに形成された薄い第２上翼板本体２２ａと、第２上翼板本体２２ａの左右側面から突出する円柱状の引手取付部２２ｂと、連結柱２４に沿って第２上翼板本体２２ａの前端部から垂設された作動片２２ｃと、作動片２２ｃの下端部から後方に延設された保持用舌片２２ｆとを有する。
【００５８】
図３及び５に示されているように、第１上翼板２１に沿って第２上翼板２２が後方に摺動する時に停止爪体５を押圧するための第１作動部２２ｄは、作動片２２ｃの内面に突設されている。第１上翼板２１に沿って第２上翼板２２が前方へ摺動する時に停止爪体５を押圧するための第２作動部２２ｅは、第２上翼板本体２２ａの摺動面に凹設されている。
【００５９】
第１上翼板２１に設けられたガイド部２８が係着されるＴ字状断面を有するガイド溝２２ｇが、第２上翼板本体２２ａの摺動面（下面）に前後方向に形成されている。ガイド溝２２ｇの開口部よりも狭くてガイド溝２２ｇに平行である第１凹溝部２２ｈが、ガイド溝２２ｇの溝底面部に凹設されている。第１実施形態によれば、第２上翼板本体２２ａの前端部に左右方向に凹設された第２凹溝部２２ｉが、ガイド溝２２ｇ及び第１凹溝部２２ｈに加えて第２上翼板本体２２ａの摺動面に配されている。第２凹溝部２２ｉは、金型を用いて第２上翼板本体２２ａを所定形状に成形するために設けられている。
【００６０】
停止爪体５を支持するピン７を嵌着させるための嵌着孔３２が、爪体収容溝２９に加えてスライダー胴体２の連結柱２４の上端部に形成されている。さらに、弾性部材６を収容するための収容孔３３が、第２収容溝２９ｂから後方に向かうように連結柱２４の下端部に穿設されている。
【００６１】
図５に示されているように、弾性部材６のための収容孔３３は、下翼板２３の内面より上（上翼板２０側）に配されている。ゆえに、下翼板２３及び連結柱２４の強度を高めるように、スライダー胴体２の下翼板２３の下面（外面）から収容孔３３までの厚さが適切に確保されている。さらに、上述したように、停止爪体５の回動軸中心と同じ高さ位置又は回動軸中心より上に爪体収容溝２９の第２底面部３１ｂが配されているため、連結柱２４の強度を高めるように、爪体収容溝２９の底面部３１から収容孔３３までの厚さが適切に確保されている。
【００６２】
第２上翼板２２に配された保持用舌片２２ｆが摺動可能に係着された係着溝３４が、スライダー胴体２の下翼板２３の下面において前後方向に凹設されている。保持用舌片２２ｆが係着された時に、スライダー胴体２の下面と保持用舌片２２ｆの下面とを構成する下翼板２３の下面が平面状となるように、係着溝３４の溝深さは保持用舌片２２ｆの上下方向の寸法に対応して設定される。ここで言及する平面とは、下翼板２３の底面と保持用舌片２２ｆの下面とが同一平面となるように形成される場合ばかりでなく、下翼板２３の下面と保持用舌片２２ｆの下面との間に僅かな段差（数ミリ程度の段差）が存在する場合も含む。
【００６３】
エレメント列９がエレメント案内路２７を通過する時にファスナーエレメントの姿勢を整えるため、下翼板２３の内面の一部には隆起部２３ａが設けられている。
【００６４】
第１実施形態の引手４は、引手本体部４１と、引手本体部４１の左右両側部から延出する左右アーム部４２とを有する。第２上翼板２２の引手取付部２２ｂが嵌入された嵌入孔４３が、各アーム部４２の前端部に形成されている。引手４をスライダー胴体２に枢着するように、第２上翼板２２の引手取付部２２ｂをアーム部４２の嵌入孔４３に嵌入させることにより、第２上翼板２２の引手取付部２２ｂに引手４が取り付けられる。本発明によれば、引手４がスライダー胴体２に枢着されるように、引手４の左右アーム部４２の各々の前端部に円柱状の凸部を設けて、第２上翼板２２の左右側部の両方に凸部が各引手取付部として嵌入される嵌入孔を形成することが可能である。
【００６５】
第１実施形態の停止爪体５は、ピン７が挿入される軸支部５１から延出する爪杆部５２と、軸支部５１の底部に配された第１突片部５３と、軸支部５１の上部に配された第２突片部５４を有することにより、側面から見た時に略Ｔ字形を呈している。スライダー胴体２のエレメント案内路２７への挿入及びこれからの抜出が可能な爪部５５が、停止爪体５の爪杆部５２の後端部に凸設されている。爪杆部５２は、軸支部５１と爪部５５との間の爪体収容溝２９に配された下り傾斜面に対応する下り傾斜部５６を有する。下り傾斜部５６は、爪体収容溝２９の下り傾斜面に対応するように爪杆部５２の上下面の両方が下り傾斜する部分である。
【００６６】
第１突片部５３は、側面から見た時に前端部に向かって細くなるように形成されている。第１突片部５３は、停止爪体５がスライダー胴体２に軸支された時に、連結柱２４に収容された弾性部材６が当接する当接部を第１突片部５３の後面側に有し、さらに、第２上翼板２２の第１作動部２２ｄが当接する当接部を第１突片部５３の前面側に有する。第２突片部５４は、側面から見た時に略矩形状となるように形成され、停止爪体５がスライダー胴体２に軸支された時に第２上翼板２２の第２作動部２２ｅが当接する当接部を後面側に有する。
【００６７】
第１実施形態の弾性部材６は、コイル状のスプリングで構成されている。
【００６８】
上述した第１実施形態の部品を有する薄型スライダー１が組み立てられる時には、最初に、スライダー胴体２の連結柱２４に形成された収容孔３３に弾性部材６が収容される。さらに、スライダー胴体２の爪体収容溝２９に停止爪体５が挿入及び保持される。この時、爪体収容溝２９に挿入された停止爪体５は、停止爪体５の第２突片部５４の上端部と爪杆部５２の上端部とが上下方向に同じ高さ位置にあるように前傾した状態に保持される。
【００６９】
次に、第２上翼板２２のガイド溝２２ｇが第１上翼板２１のガイド部２８の位置と整合された状態で、第２上翼板２２が第１上翼板２１の前端側から後方へ摺動される。結果的に、第１上翼板２１のガイド部２８が第２上翼板２２のガイド溝２２ｇに係着された状態で、第２上翼板２２が第１上翼板２１に前後方向に摺動可能に係着される。すなわち、この実施形態の薄型スライダー１では、第１上翼板２１のガイド部２８を第２上翼板２２のガイド溝２２ｇへ係着することにより、第２上翼板２２の係着状態を安定させるように、下翼板２３に凹設された係着溝３４に、第２上翼板２２の保持用舌片２２ｆが係着される。
【００７０】
第２上翼板２２が後方に摺動して第１上翼板２１に係着されると、スライダー胴体２の爪体収容溝２９において前傾状態に保持された停止爪体５が、第２上翼板２２の第１作動部２２ｄにより後方に押圧される。結果的に、図５に示されているように、第１突片部５３の前面が第２上翼板２２の第１作動部２２ｄと当接して第１突片部５３の後面が弾性部材６に付勢されるように爪部５５がエレメント案内路２７へ挿入された状態で、停止爪体５が保持される。
【００７１】
この後、スライダー胴体２により停止爪体５を軸支するようにスライダー胴体２の連結柱２４に形成された嵌着孔３２にピン７が挿入される。さらに、引手４のアーム部４２が、第２上翼板２２に設けられた引手取付部２２ｂに回動可能に係着される。結果的に、第１実施形態の薄型スライダー１が組み立てられ、薄型スライダー１は優れたデザイン性を有し、停止爪体５による自動停止機構を備える。
【００７２】
このようにして得られた第１実施形態の薄型スライダー１に、図１に示されているようにファスナーストリンガー８のエレメント列９を通過させることにより、スライドファスナー１０が構成される。エレメント列９上で薄型スライダー１を摺動させることにより、左右のエレメント列９が噛合又は分離する。
【００７３】
第１実施形態の薄型スライダー１は停止爪体５による自動停止機構を有するため、引手４が操作されていない時に図５に示されたようにエレメント案内路２７へ停止爪体５の爪部５５が挿入される第１回転方向に、停止爪体５の第１突片部５３が付勢される。こうして、停止爪体５の爪部５５が、爪孔３０を介してエレメント案内路２７に突出して、エレメント案内路２７を通過したエレメント列９に係合される。結果的に、薄型スライダー１がエレメント列９の停止位置で安定的に保持される。
【００７４】
すなわち、第１実施形態の薄型スライダー１では、停止爪体５の爪部５５がエレメント案内路２７へ挿入されると、連結柱２４よりも後口側の位置で爪体収容溝２９の底面部３１（第４底面部３１ｄ）によって停止爪体５が支持される。その結果、停止爪体５の姿勢が安定するため、エレメント案内路２７への爪部５５の挿入位置が安定することで、薄型スライダー１を停止位置に確実に保持する。
【００７５】
薄型スライダー１が停止した状態で停止爪体５の姿勢を安定させることで、後述するように薄型スライダー１を摺動させるように引手４が操作されると、第２上翼板２２の第１作動部２２ｄ又は第２作動部２２ｅにより停止爪体５の第１突片部５３及び第２突片部５４が確実に押圧される。結果的に、爪部５５がエレメント案内路２７から円滑に抜出される。
【００７６】
次に、エレメント列９で停止している状態から左右のエレメント列９を分離させる方向に薄型スライダー１を摺動させるため、使用者は引手４を後方に引っ張ることにより引手４を操作する。引手４がスライダーの後方に引っ張られると、引手４に印加される力が第２上翼板２２に直接作用するため、図７に示されているように、第２上翼板２２が第１上翼板２１に対して後方に摺動する。
【００７７】
結果的に、爪部５５をエレメント案内路２７から抜出するための第２回動方向に停止爪体５を回動させるように、弾性部材６の付勢力に抗して第２上翼板２２の第１作動部２２ｄが停止爪体５の第１突片部５３を押圧する。その結果、爪部５５とエレメント列９との間の係合状態を解除するように、停止爪体５の爪部５５がエレメント案内路２７から抜出される。結果的に、エレメント列９を分離する方向（スライダーの後方）に薄型スライダー１が円滑に摺動できる。
【００７８】
この場合、第１実施形態のスライダーでは、爪孔３０に向かって下り傾斜する下り傾斜面（第３底面部３１ｃ）は、スライダー胴体２に形成された爪体収容溝２９の底面部３１に配されている。同時に、停止爪体５の爪杆部５２には、下り傾斜部５６が形成されている。さらに下り傾斜部５６では、爪杆部５２の上下面の両方が下り傾斜するように形成されている。その結果、連結柱２４の強度を確保するため、前述したように、爪体収容溝２９の第２底面部３１ｂが、停止爪体５の回動軸中心と同じ高さ位置又は同じ回動軸中心より上に配されていても、停止爪体５の安定した回動範囲がスライダー胴体２内で確保される。
【００７９】
第１実施形態の薄型スライダー１では、ガイド溝２２ｇと平行であってガイド溝２２ｇの開口部より幅の狭い第１凹溝部２２ｈが、第２上翼板本体２２ａの摺動面に凹設されている。ゆえに、第１凹溝部２２ｈの空間を利用することにより、第２上翼板本体２２ａの強度を維持しながら、停止爪体５の広い回動範囲がスライダー胴体２内に確保される。こうして、薄型スライダー１において、第１上翼板２１に対して第２上翼板２２を後方に摺動させることにより、スライダー胴体２に形成された回動範囲内で停止爪体５が第２回動方向に安定的に回動する。結果的に、薄型スライダー１を円滑に摺動させることができるように、停止爪体５の爪部５５がエレメント案内路２７から確実に抜出される。
【００８０】
薄型スライダー１がエレメント列９に沿って所定位置まで摺動して引手４の操作が解除されて薄型スライダー１を停止させた場合、停止爪体５は弾性部材６により付勢されて第１回動方向に回動する。その結果、停止爪体５の第１突片部５３が第２上翼板２２の第１作動部２２ｄを押圧するため、第２上翼板２２が前方へ摺動して元の位置へ戻る。次に、爪部５５がエレメント案内路２７へ挿入されてエレメント列９と係合する。結果的に、薄型スライダー１は停止位置で安定的に保持される。
【００８１】
一方、薄型スライダー１が停止した状態から左右のエレメント列９を噛合させるための方向に薄型スライダー１を摺動させるため、使用者は、スライダーの前方へ引手４を引っ張ることにより引手４を操作する。引手４がスライダーの前方に引っ張られると、引手４に印加された力が第２上翼板２２に直接作用するため、図８に見られるように、第２上翼板２２が第１上翼板２１に対して前方に摺動する。
【００８２】
結果的に、上述したように爪部５５をエレメント案内路２７から抜出するための第２回動方向に停止爪体５を回動させるように、第２上翼板２２の第２作動部２２ｅが、弾性部材６の付勢力に抗して停止爪体５の第２突片部５４を押圧する。その結果、停止爪体５の爪部５５がエレメント案内路２７から抜出されるため、エレメント列９を噛合させるための方向（スライダーの前方）に薄型スライダー１が容易に摺動できる。
【００８３】
上述したように、第１実施形態の薄型スライダー１は、上下方向の厚さが薄く、優れたデザイン性及び優れた操作性を有する。また薄型スライダー１は、停止爪体５による自動停止機構を有するスライドファスナーのためのスライダーとして使用される。
【００８４】
［第２実施形態］
図９は、第２実施形態の薄型スライダーの引手が操作されていない状態を示す縦断面図である。
【００８５】
第２実施形態の薄型スライダー１’は、スライダー胴体２に配された爪体収容溝２９の底面部３１’と、停止爪体５の爪杆部５２’と、スライダー胴体２の下面部とにおいて、第１実施形態の薄型スライダー１と異なる構成を持つ。他の構成は、第１実施形態の薄型スライダー１と実質的に等しい。そのため、第１実施形態の薄型スライダー１と同じ構成を持つ第２実施形態の部品及び部材には類似の参照番号が付けられ、これらの部品及び部材の説明は省略する。
【００８６】
第２実施形態のスライダー胴体２は、上翼板２０と、下翼板２３と、上下翼板２０，２３の前端部の間を連結するための連結柱２４とを有する。スライダー胴体２の上翼板２０は、連結柱２４に連結された第１上翼板２１と、第１上翼板２１に摺動可能に係着された第２上翼板２２とを有する。
【００８７】
第２上翼板２２は、第１上翼板２１の上面に配された薄い第２上翼板本体２２ａと、第２上翼板本体２２ａの左右側面部から突出する引手取付部（図９では不図示）と、第２上翼板本体２２ａの前端部から垂設された作動片２２ｃとを有する。しかし、第２実施形態によれば、第２上翼板２２は、作動片２２ｃの下端部から後方に延出する保持用舌片２２ｆを有しておらず、第１実施形態に示されたような係着溝３４は、下翼板２３の下面には配されていない。
【００８８】
第２実施形態のスライダー胴体２は、第１実施形態の保持用舌片２２ｆ又は係着溝３４を備えていないが、第１実施形態と同じガイド部２８（図９では不図示）が第１上翼板２１の上面に配され、ガイド部２８が係着されたガイド溝２２ｇ（図９では不図示）が、第２上翼板２２の下面（摺動面）に配されている。ゆえに、第２上翼板２２は、第１上翼板２１に摺動可能に係着されるのである。
【００８９】
停止爪体５を収容及び保持するための爪体収容溝２９が、第２実施形態のスライダー胴体２の第１上翼板２１及び連結柱２４に凹設されており、爪体収容溝２９は、前後方向に形成された第１収容溝２９ａと、上下方向に第１上翼板２１の前端部に形成された第２収容溝２９ｂとを有する。
【００９０】
この場合、第１収容溝２９ａの底面部３１’は、第２収容溝２９ｂから爪孔３０まで連続的に屈曲するように設けられ、底面部３１’は、連結柱２４の後端部よりも後口側の位置まで延設されている。第１収容溝２９ａの底面部３１’は、後口傾斜側に向かって第２収容溝２９ｂから上り傾斜する上り傾斜面で形成される第１底面部３１ａ’と、後口側に向かって第１底面部３１ａ’の後端部から下り傾斜する下り傾斜面で形成される第２底面部３１ｂ’とを有する。さらに、第１底面部３１ａ’と第２底面部３１ｂ’との間に配された屈曲部３１ｃ’は、停止爪体５の回動軸中心と同じ高さ位置又は回動軸中心より上に配される。結果的に、爪体収容溝２９の底面部３１’から収容孔３３までの厚さが適切に確保されることにより、連結柱２４の強度を高める。
【００９１】
第２実施形態の停止爪体５は、軸支部５１から後方に延在する爪杆部５２’と、軸支部５１の下に配された第１突片部５３と、軸支部５１の上に配された第２突片部５４とを有する。爪杆部５２’は、第２底面部３１ｂ’の下り傾斜面に対応する下り傾斜部５６’を有し、爪杆部５２’の下り傾斜部５６’は、第１実施形態の爪杆部５２より長くなるように形成される。
【００９２】
第２実施形態のように、停止爪体５の回動範囲をスライダー胴体２内で安定的に確保するように、スライダー胴体２の爪体収容溝２９の底面部３１’に下り傾斜面（第２底面部３１ｂ’）が配され、停止爪体５の爪杆部５２’に長い下り傾斜部５６’が形成されている。そのため、第２上翼板２２の第１作動部２２ｄ又は第２作動部２２ｅにより停止爪体５が押圧されると、停止爪体５が第２回転方向に安定的に回動してエレメント案内路２７から爪部５５を抜出することで、停止爪体５の爪部５５をエレメント案内路２７から確実に抜出する。
【００９３】
第２実施形態の薄型スライダー１’は、第１実施形態の薄型スライダー１のように優れたデザイン性及び操作性を有し、停止爪体５による自動停止機構を備えるスライドファスナー用のスライダーとして使用される。
【符号の説明】
【００９４】
１，１’  薄型スライダー
２  スライダー胴体
４  引手
５  停止爪体
６  弾性部材
７  ピン
８  ファスナーストリンガー
９  エレメント列
１０  スライドファスナー
２０  上翼板
２１  第１上翼板
２２  第２上翼板
２２ａ  第２上翼板本体
２２ｂ  引手取付部
２２ｃ  作動片
２２ｄ  第１作動部
２２ｅ  第２作動部
２２ｆ  保持用舌片
２２ｇ  ガイド溝
２２ｈ  第１凹溝部
２２ｉ  第２凹溝部
２３  下翼板
２３ａ  隆起部
２４  連結柱
２５  上フランジ部
２６  下フランジ部
２７  エレメント案内路
２８  ガイド部
２８ａ  基部
２８ｂ  係止片部
２９  爪体収容溝
２９ａ  第１収容溝
２９ｂ  第２収容溝
３０  爪孔
３１  底面部
３１ａ，３１ａ’  第１底面部
３１ｂ，３１ｂ’  第２底面部
３１ｃ  第３底面部
３１ｃ’  屈曲部
３１ｄ  第４底面部
３２  嵌着孔
３３  収容孔
３４  係着溝
４１  引手本体部
４２  アーム部
４３  嵌入孔
５１  軸支部
５２，５２’  爪杆部
５３  第１突片部
５４  第２突片部
５５  爪部
５６，５６’  下り傾斜部
【図１】
2010158520.tif 000003
【図２】
2010158520.tif 000004
【図３】
2010158520.tif 000005
【図４】
2010158520.tif 000006
【図５】
2010158520.tif 000007
【図６】
2010158520.tif 000008
【図７】
2010158520.tif 000009
【図８】
2010158520.tif 000010
【図９】
2010158520.tif 000011
【図１０】
2010158520.tif 000012
【図１１】
2010158520.tif 000013
【図１２】
2010158520.tif 000014